(57)【要約】【目的】  地図スクロール時にスクロール速度に応じて方面名称を狭域地名から広域地名に自動的に変更する「方面表示方法及び地図表示装置」を提供する。【構成】  地図スクロール時、画面端部に方面を示す地名を表示すると共に、スクロール操作時間に基いて地図のスクロール速度を変化し、該スクロール速度に応じて方面の地名を狭域地名から広域地名に切り替える。方面名称を切り替えるには、スクロール速度に応じた方面地名を図葉データに含ませ、スクロール画面に表示されているエリアの中心が存在する図葉を判別し、該図葉に応じた図葉データのスクロール速度に応じた方面地名を画面端部に表示することにより行う。【選択図】        図１
2005292621.tif 000002
【特許請求の範囲】
【請求項１】
地図データに基づいて地図を表示する地図表示装置おける地図スクロール時の方面表示方法において、
地図スクロール時、画面端部に方面を示す地名を表示し、
スクロール操作時間に基いて地図のスクロール速度を変化し、
該スクロール速度に応じて前記方面の地名を狭域地名から広域地名に切り替える、
ことを特徴とする方面表示方法。
【請求項２】
スクロール開始時の地図縮尺に基づいて、該スクロール開始時における方面の地名を表示すると共にスクロール速度に応じて方面の地名を変更する、
ことを特徴とする請求項1記載の方面表示方法。
【請求項３】
スクロール速度に応じた方面地名を図葉データに含ませ、
スクロール画面に表示されているエリアの中心が存在する図葉を判別し、
該図葉に応じた図葉データのスクロール速度に応じた方面地名を画面端部に表示する、
ことを特徴とする請求項1記載の方面表示方法。
【請求項４】
スクロールを停止した時、方面名称を広域地名から狭域地名に変更する、
ことを特徴とする請求項１記載の方面表示方法。
【請求項５】
地図データに基づいて地図を表示する地図表示装置おける地図スクロール時の方面表示方法において、
地図スクロール時、画面端部に方面を示す地名を表示し、
スクロール操作時間に基いて地図のスクロール速度を変化すると共に、表示地図の縮尺を変更し、
前記方面の地名を前記縮尺に応じた地名に切り替える、
ことを特徴とする方面表示方法。
【請求項６】
スクロールを停止した時、スクロール開始時の縮尺に応じた地図を表示すると共に、方面名称を該縮尺に応じた地名に切り替える、
ことを特徴とする請求項５記載の方面表示方法。
【請求項７】
図葉毎の地図データ（図葉データ）に基づいて地図を表示する地図表示装置における方面表示方法において、
スクロールに際して画面端部に表示する方面地名を図葉データに含ませ、
スクロール時、画面に表示されているエリアの中心が存在する図葉を判別し、
該図葉に応じた図葉データに含まれる方面を画面に表示する、
ことを特徴とする方面表示方法。
【請求項８】
地図データに基づいて地図を表示する地図表示装置において、
地図をスクロールする手段、
地図スクロール時、画面端部に方面を示す地名を表示する表示手段、
スクロール操作時間に基いて地図のスクロール速度を変化する手段、
スクロール速度に応じて前記方面の地名を狭域地名から広域地名に切り替える方面地名切替部、
を有することを特徴とする地図表示装置。
【請求項９】
スクロール速度に応じた方面地名を図葉データに含む地図データを記憶する地図記憶手段を備え、
前記方面地名切替部は、スクロール画面に表示されているエリアの中心が存在する図葉を判別し、該図葉に応じた図葉データに含まれるスクロール速度に応じた方面地名を抽出して表示する、
ことを特徴とする請求項８記載の地図表示装置。
【請求項１０】
地図データに基づいて地図を表示する地図表示装置において、
地図をスクロールする手段、
地図スクロール時、画面端部に方面を示す地名を表示する表示手段、
スクロール操作時間に基いて地図のスクロール速度を変化すると共に、表示地図の縮尺を変更する手段、
前記方面の地名を前記縮尺に応じた地名に切り替える方面地名切替部、
を有することを特徴とする地図表示装置。
【請求項１１】
縮尺に応じた方面地名を図葉データに含む地図データを記憶する地図記憶手段を備え、
前記方面地名切替部は、スクロール画面に表示されているエリアの中心が存在する図葉を判別し、該図葉に応じた図葉データに含まれる方面地名を抽出して表示する、
ことを特徴とする請求項１０記載の地図表示装置。
【発明の詳細な説明】
【技術分野】
【０００１】
本発明は方面表示方法及び地図表示装置に係わり、特に、地図スクロール時における方面表示方法および方面表示機能を備えた地図表示装置に関する。
【背景技術】
【０００２】
ナビゲーションシステムには、地図スクロールしている際に画面の４方向の方面名称（市区町村、都道府県名など）を表示する機能がある。かかる方面表示の第1従来技術において、方面名称は地図スクロール開始時における地図の縮尺に依存し、縮尺が小さな詳細地図の場合、方面は狭い地域を示す地名(狭域地名という)で、例えば、字名で表示し、縮尺が大きくなるほど方面は広い地域を示す地名(広域地名という)で、例えば、市区町村命、都道府県名で表示する。
また、方面表示の第２従来技術として次の交差点の方面名称を取得してスクリーンに表示するものがある(特許文献１〜３)。
【特許文献１】特開平１０−２０６１７６号公報
【特許文献２】特開２０００−２９８０２６号公報
【特許文献３】特開２０００−２９８０２７号公報
【発明の開示】
【発明が解決しようとする課題】
【０００３】
第1の従来技術によれば、スクロールを開始してから方面名称を切り替えるには、地図スクロールを途中で止めて縮尺変更し、再度、地図スクロールをするという行為が必要であった。また、第１従来技術ではスクロール操作時間が設定時間以上になるとスクロール速度が高速になり、方面名称が狭域地名であると方面表示が短時間で切り替わるためちらついて見えにくい問題がある。
第２の従来技術は、通常のナビゲーション地図を表示している場合の方面表示例であり、地図スクロール時の方面名称表示に適用できない。
以上から本発明の目的は、地図スクロール時にスクロール速度に応じて方面名称を狭域地名から広域地名に自動的に変更することである。
本発明の別の目的は、地図スクロール時にスクロール操作時間に応じてスクロール速度を変化すると共に、地図の縮尺を変更し、縮尺に応じた方面名称を表示することである。
【課題を解決するための手段】
【０００４】
上記課題は本発明によれば、地図スクロール時、画面端部に方面を示す地名を表示すると共に、スクロール操作時間に基いて地図のスクロール速度を変化し、該スクロール速度に応じて前記方面の地名を狭域地名から広域地名に切り替える方面表示方法により達成される。方面名称を切り替えるには、スクロール速度に応じた方面地名を図葉データに含ませ、スクロール画面に表示されているエリアの中心が存在する図葉を判別し、該図葉に応じた図葉データのスクロール速度に応じた方面地名を画面端部に表示することにより行う。
また、上記課題は本発明によれば、地図スクロール時、画面端部に方面を示す地名を表示し、スクロール操作時間に基いて地図のスクロール速度を変化すると共に、表示地図の縮尺を変更し、前記方面の地名を前記縮尺に応じた地名に切り替える方面表示方法により達成される。方面名称を切り替えるには、縮尺に応じた方面地名を図葉データに含ませ、スクロール時、画面に表示されているエリアの中心が存在する図葉を判別し、該図葉に応じた図葉データに含まれる方面を画面に表示することにより行う。
【０００５】
また、上記課題は本発明によれば、地図をスクロールする手段、地図スクロール時、画面端部に方面を示す地名を表示する表示手段、スクロール操作時間に基いて地図のスクロール速度を変化する手段、スクロール速度に応じて前記方面の地名を狭域地名から広域地名に切り替える方面地名切替部を有する地図表示装置により達成される。
また、上記課題は本発明によれば、地図をスクロールする手段、地図スクロール時、画面端部に方面を示す地名を表示する表示手段、スクロール操作時間に基いて地図のスクロール速度を変化すると共に、表示地図の縮尺を変更する手段、前記方面の地名を前記縮尺に応じた地名に切り替える方面地名切替部を有する地図表示装置により達成される。
【発明の効果】
【０００６】
本発明によれば、地図スクロール時にスクロール速度に応じて方面名称を狭域地名から広域地名に自動的に変更するようにしたから、方面表示がちらつかず方面名称を容易に認識することができる。また、地図スクロール速度が上がるということは、それだけその先の地図情報を見たい、より大きな単位での地名が欲しいというニーズがあり、本発明によれば、ユーザーが意図した方面情報を表示することができる。
また、本発明によれば、地図スクロール時にスクロール操作時間に応じてスクロール速度を変化すると共に地図の縮尺を変更し、縮尺に応じた方面名称を表示するようにしたから、方面表示がちらつかず方面を容易に認識することができる。
【発明を実施するための最良の形態】
【０００７】
ナビゲーションには地図スクロールを同一方向に一定期間連続して行うと（例えばジョイスティックキーを一定方向に長押しすると）、スクロール速度を段階的にスピードアップしていく機能がある。この地図スクロールのスピードアップの段階に応じて、方面名称の単位（都道府県/郡市区町村/大字）を切り替える。
また、地図スクロールを同一方向に一定期間連続しておこなったとき、スクロール速度を段階的にスピードアップすると共に、表示地図の縮尺を変更し、前記方面の地名を該縮尺に応じた地名に切り替える。
以上のようにすれば、方面表示がちらつかず方面名称を容易に認識することができる。
【実施例１】
【０００８】
図１は本発明の地図表示装置の構成図であり、DVD等の地図情報記憶部１１には縮尺毎の地図データが記憶されている。地図データは図葉データの集合である。図葉データとは1画面に表示するエリアに応じた地図を描画するためのデータであり、縮尺毎に図葉データが用意されている。車輌位置検出部１２は車輌の位置を検出するもので、GPS受信機や自立航法センサー(方位センサー、車速センサー)、車両位置計算部を備えている。リモコン１３はメニュー選択用のキー、地図縮小／拡大用のキー、スクロール用のジョイスティックキー等を備えている。ジョイスティックキーを所定方向に押すことにより該方向に地図をスクロールすることができる。リモコン制御部１４はリモコン操作に応じた制御信号を各部に入力する。スクロール操作時間監視部１５はスクロール操作時間を監視し、第1の設定時間以上スクロール操作が連続押下(長押)するとスクロール速度を低速から中速に切り替え、第２の設定時間以上スクロール操作が連続するとスクロール速度を中速から高速に切り替える。フォーカス位置計算部１６は、スクロール速度に基づいてフォーカス(カーソル)の位置を計算して地図読出制御部１７、方面地名抽出部１８、画像切出制御部１９に入力する。
【０００９】
地図読出制御部１７は、自車位置(通常地図表示時)あるいはフォーカス位置(スクロール時)に基づいて地図情報記憶部１１から所定の縮尺の地図情報を読み出して地図バッファ２０に格納する。地図バッファ２０には、走行時およびスクロール時に地図スクロールができるように自車位置あるいはフォーカス位置周辺の複数枚(複数図葉)の地図情報、例えば3×３の図葉の地図情報が読み出される。地図画像描画部２１は地図バッファ２０に記憶されている３×３枚の地図情報を用いて地図画像を発生し、ビデオRAM(VRAM)２２は該地図画像を記憶し、画像切出制御部１９は自車位置あるいはフォーカス位置に基づいてVRAM ２２から切り出す1画面分の位置を変えて自車の移動あるいはフォーカス(カーソル)移動に従って地図をスクロール表示する。
方面地名抽出部１８は、スクロール時、フォーカス(画面中心位置)が存在する図葉を求め、該図葉に応じた図葉データのスクロール速度に応じた方面地名を抽出して出力する。車輌マーク／フォーカス発生部２３は通常の地図表示に際して車輌マークを画面所定位置に発生し、スクロールに際してフォーカス(カーソル)を画面中央に発生する。合成部２４は地図画像、各種マーク画像、図示しない誘導経路発生部から発生する誘導経路画像、メニュー画像等を合成して出力し、ディスプレイ装置２５は入力された画像を表示する。
【００１０】
図２は地図情報説明図である。地図情報は図葉毎に地図を表示するためのデータ（図葉データ）の集合であり、縮尺毎に図葉データが用意されている。図葉データは図2に示すように、図葉の地図を描画するための多数の背景要素からなっている。背景要素には、緑地、島、鉄道、道路、建物、川などに加えてスクロール方面名称用背景データSDNが含まれている。スクロール方面名称用背景データSDNは、低速用のスクロール方面名称LSDNと高速用のスクロール方面名称HSDNが用意されており、それぞれ、左下図、下図、右下図、右図、左図、左上図、上図、右上図の８方面の方面名称が含まれている。
図３〜図５はスクロール方面名称用背景データSDNの説明図である。図３は縮尺が小さな詳細地図における低速用スクロール方面名称例であり、方面は隣接する地域の大字名で示される。なお、高速用スクロール方面名称HSDNは図示しないが1ランク広域の隣接地域の郡市町村名で示される。
図４は縮尺が中程度の地図における低速用スクロール方面名称例であり、方面は隣接する地域の郡市町村名で示される。なお、高速用スクロール方面名称HSDNは図示しないが1ランク広域の隣接地域の都道府県名で示される。
図５は縮尺が大きな広域地図におけるスクロール方面名称例であり、方面は隣接する都道府県名で示される。都道府県より広域の地名は無いため図葉データには高速用スクロール方面名称HSDNは含まれない。すなわち、広域地図では方面名称は低速／高速共通である。
【００１１】
図６は地図の各縮尺における低速時（６０dot/sec）、中速度（１２０dot/sec）、高速時（２４０dot/sec）における方面名称単位の説明図であり、中速度のスケール方面名称は低速時と同じである。６０dot/secの低速用スクロール方面名称は、１０ｍスケール(市街地図)〜２００ｍスケールの縮尺地図において大字名を用い、５００ｍスケール〜1kmスケールにおいて市町村名を用い、それ以上の２ｋｍ〜２０ｋｍの縮尺において都道府県名を用いる。また、２４０dot/secの高速用のスクロール方面名称は、１０ｍスケール(市街地図)〜２００ｍスケールの縮尺地図では市町村名を用い、それ以上の５００ｍ〜２０ｋｍの縮尺では都道府県名を用いる。
【００１２】
図７はどの図葉の方面名称を用いるかを示す説明図であり、VRAM２２に１〜９の図葉の地図が描画されており、画面に点線で示されている領域の地図画像が切り取られて表示されているものとする。方面地名抽出部１８は、画面中心位置(フォーカスFCの位置)がどの図葉に存在するか判別し、該図葉(図７では図葉５)に応じた図葉データのスクロール速度(図では低速度)に応じた方面地名を抽出して図８に示すように画面8方面端部に表示する。
【００１３】
図９は本発明のスクロール時における方面表示処理フローである。
リモコン１３のジョイスティックキーを用いてスクロール操作すれば(ステップ１０１)、フォーカスを画面中央に表示し、地図をジョイスティックキーが指示する方向にフォーカスに対して相対的に低速で移動表示する（地図スクロール、ステップ１０２）。また、フォーカスが位置する図葉の図葉データに含まれる低速用方面名称を抽出して画面の8方面端部に表示する(ステップ１０３)。
ついで、スクロール操作が終了したかチェックし(ステップ１０４)、終了していなければ、設定時間以上スクロール操作が連続しているか、すなわち、長押操作かチェックし(ステップ１０５)、長押でなければステップ１０１以降の処理を繰返す。なお、スクロール操作が終了すれば、方面名称は低速用方面名称（狭域地名）にしたまま地図スクロールを終了する。
【００１４】
ステップ１０５において、設定時間以上スクロール操作が連続している場合には、スクロール速度を中速にアップし(ステップ１０６)、フォーカスが位置する図葉の図葉データに含まれる中速用方面名称(低速用方面名称と同じ)を抽出して画面の8方面端部に表示する(ステップ１０７)。
ついで、スクロール操作が終了したかチェックし(ステップ１０８)、終了していなければ、設定時間以上スクロール操作が連続しているか、すなわち、長押操作かチェックし(ステップ１０９)、長押でなければステップ１０６以降の処理を繰返す。なお、スクロール操作が終了すれば、方面名称は低速用方面名称にして地図スクロールを終了する。
ステップ１０９において、設定時間以上スクロール操作が連続している場合には、スクロール速度を高速にアップし(ステップ１１０)、フォーカスが位置する図葉の図葉データに含まれる高速用方面を抽出して画面の8方面端部に表示する(ステップ１１１)。
以後、スクロール操作が終了したかチェックし(ステップ１１２)、終了していなければ、ステップ１１０以降の処理を繰返し、スクロール操作が終了すれば、方面名称を高速用方面名称(広域地名)から低速用方面名称（狭域地名）に切り替えて地図スクロールを終了する。
以上、第１実施例によれば、スクロール速度に応じて方面名称を狭域地名から広域地名に自動的に変更するようにしたから、方面表示がちらつかず方面名称を容易に認識することができる。
【実施例２】
【００１５】
図１０は本発明の第２実施例の構成図であり、第1実施例(図１)と同一部分には同一符号を付している。第２実施例において第１実施例と異なる点は、地図スクロールを同一方向に一定期間連続しておこなったとき、スクロール速度を段階的にスピードアップすると共に、表示地図の縮尺を変更し、前記方面の地名を該縮尺に応じた地名に切り替える点である。
地図読出制御部１７は操作時間あるいはスクロール速度(低速／中速／高速)に基づいて読み出す地図の縮尺を決定し、フォーカス位置に応じて該縮尺の図葉データを地図情報記憶部１１より読み出して地図バッファ２０に格納する。すなわち、図１１に示すように、スクロール開始時の縮尺(低速時の縮尺)、中速時の縮尺、高速時の縮尺を、スクロール速度に応じて大きくし、地図読出制御部１７は該縮尺に応じた地図を読み出すようにしてる。例えば、スクロール開始時（低速時）の縮尺が１００ｍスケールの場合、中速時の縮尺は２００ｍスケール、高速時の縮尺は５００ｍスケールに変化し、地図読出制御部１７は該縮尺に応じた地図を読み出す。
【００１６】
図葉データは図１２に示すように、第1実施例と異なり1組の左下図、下図、右下図、右図、左図、左上図、上図、右上図の８方面の方面名称CSDNが含まれているだけである。方面名称は、図１１に示すように、１０ｍスケール(市街地図)〜２００ｍスケールの縮尺地図において大字名を用い、５００ｍスケール〜1kmスケールにおいて市町村名を用い、それ以上の２ｋｍ〜２０ｋｍの縮尺において都道府県名を用いる。
本発明では、スクロール速度(低速／中速／高速)に基づいて読み出す地図の縮尺を決定し、該縮尺に応じた方面名称を表示する。例えば、スクロール開始時の縮尺が１００ｍスケールの場合、低速時の縮尺は１００ｍスケール、中速時の縮尺は２００ｍスケール、高速時の縮尺は５００ｍスケールに変化するから、方面名称も大字名→大字名→郡市町村名と速度に応じて変化する。また、スクロール開始時の縮尺が１kmスケールの場合、低速時の縮尺は1kmスケール、中速時の縮尺は２kmスケール、高速時の縮尺は５kmスケールに変化するから、方面名称も郡市町村名→都道府県名→都道府県名と速度に応じて変化する。
【００１７】
図１３は第2実施例のスクロール時における方面表示処理フローである。
リモコン１３のジョイスティックキーを用いてスクロール操作すれば(ステップ２０１)、フォーカスを画面中央に表示し、スクロール開始前の縮尺の地図をジョイスティックキーが指示する方向にフォーカスに対して相対的に低速で移動表示する（地図スクロール、ステップ１０２）。また、フォーカスが位置する図葉の図葉データに含まれる方面名称を抽出して画面の8方面端部に表示する(ステップ２０３)。
ついで、スクロール操作が終了したかチェックし(ステップ２０４)、終了していなければ、設定時間以上スクロール操作が連続しているか、すなわち、長押操作かチェックし(ステップ２０５)、長押でなければステップ２０１以降の処理を繰返す。なお、スクロール操作が終了すれば、地図スクロールを終了する。
【００１８】
ステップ２０５において、設定時間以上スクロール操作が連続している場合には、スクロール速度を中速にアップすると共に表示地図の縮尺を1ランク大きくする(ステップ２０６)。ついで、フォーカスが位置する図葉の図葉データに含まれる方面名称を抽出して画面の8方面端部に表示する(ステップ２０７)。これにより、1ランク上の縮尺に応じた方面名称が表示される。
ついで、スクロール操作が終了したかチェックし(ステップ２０８)、終了していなければ、設定時間以上スクロール操作が連続しているか、すなわち、長押操作かチェックし(ステップ２０９)、長押でなければステップ２０６以降の処理を繰返す。なお、スクロール操作が終了すれば、スクロール開始時の縮尺に応じた図葉データに基づいて地図を表示すると共に、方面名称は該図葉データに含まれる方面名称に切り替え、地図スクロールを終了する。
【００１９】
ステップ２０９において、設定時間以上スクロール操作が連続している場合には、スクロール速度を高速にアップすると共に表示地図の縮尺を1ランク大きくする(ステップ２１０)。
ついで、フォーカスが位置する図葉の図葉データに含まれる方面名称を抽出して画面の8方面端部に表示する(ステップ２１１)。これにより、1ランク上の縮尺に応じた方面名称が表示される。
以後、スクロール操作が終了したかチェックし(ステップ２１２)、終了していなければ、ステップ２１０以降の処理を繰返し、スクロール操作が終了すれば、スクロール開始時の縮尺に応じた図葉データに基づいて地図を表示すると共に、方面名称は該図葉データに含まれる方面名称に切り替え、地図スクロールを終了する。
以上、第２実施例によれば、スクロール速度に応じて縮尺を大きくすると共に、該縮尺に応じた方面名称を表示するようにしたから、方面表示がちらつかず方面名称を容易に認識することができる。
【図面の簡単な説明】
【００２０】
【図１】本発明の地図表示装置の構成図である。
【図２】地図情報説明図である。
【図３】スクロール方面名称用背景データの説明図で、縮尺が小さな詳細地図におけるスクロール方面名称例である。
【図４】スクロール方面名称用背景データの説明図で、縮尺が中程度の地図におけるスクロール方面名称例である。
【図５】スクロール方面名称用背景データの説明図で、縮尺が大きい地図におけるスクロール方面名称例である。
【図６】地図の各縮尺における低速時（６０dot/sec）、中速時（１２０dot/sec）、高速時（２４０dot/sec）における方面名称単位の説明図である。
【図７】どの図葉の方面名称を用いるかを示す説明図である。
【図８】方面表示例である。
【図９】本発明のスクロール時における方面表示処理フローである。
【図１０】本発明の第２実施例の構成図である。
【図１１】スクロール開始時の縮尺(低速時の縮尺)、中速時の縮尺、高速時の縮尺を及び各縮尺の方面名称説明図である。
【図１２】地図情報（図葉データ）説明図である。
【図１３】第2実施例のスクロール時における方面表示処理フローである。
【符号の説明】
【００２１】
１１  DVD等の地図情報記憶部
１２  車輌位置検出部
１３  リモコン
１４  リモコン制御部
１５  スクロール操作監視部
１６  フォーカス位置計算部
１７  地図読出制御部
１８  方面地名抽出部
１９  画像切出制御部
２０  地図バッファ
２１  地図画像描画部
２２  ビデオRAM(VRAM)
２３  車輌マーク／フォーカス発生部
２４  合成部
２５  ディスプレイ装置
【図１】
2005292621.tif 000003
【図２】
2005292621.tif 000004
【図３】
2005292621.tif 000005
【図４】
2005292621.tif 000006
【図５】
2005292621.tif 000007
【図６】
2005292621.tif 000008
【図７】
2005292621.tif 000009
【図８】
2005292621.tif 000010
【図９】
2005292621.tif 000011
【図１０】
2005292621.tif 000012
【図１１】
2005292621.tif 000013
【図１２】
2005292621.tif 000014
【図１３】
2005292621.tif 000015